(57)【要約】  封止ジッパーアセンブリは、封止領域を形成するように重なり合う第１ジッパー部位と、第２ジッパー部位とを備える。封止領域内に、封止要素が配置され、 第１ジッパー部位と、第２ジッパー部位との間の漏洩を防止する。
2019514599.tif 000002
【特許請求の範囲】
【請求項１】
ジッパー閉鎖部を封止する方法であって、
第１務歯列と、第２務歯列と、第１方向にスライドして、前記第１務歯列と、前記第２務歯列とを係合させ、第２方向にスライドして、前記第１務歯列と、前記第２務歯列とを係合解除するスライドを有する単一の防水噛合式ジッパーファスナーであって、第１ジッパー部位となる第１端と、第２ジッパー部位となる第２端とを有し、前記第１ジッパー部位と、前記第２ジッパー部位とが重なり合い、少なくとも１つの封止領域を含む重なり部分が形成される単一の防水噛合式ジッパーファスナーを設けることと、
前記重なり部分の軸方向に沿って、前記第１ジッパー部位と、前記第２ジッパー部との間の漏洩を防止するように、前記少なくとも１つの封止領域内に封止要素を配置することと、を含む方法。
【請求項２】
前記封止要素は、前記少なくとも１つの封止領域内で圧縮される、弾性変形可能な封止要素である、請求項１に記載の方法。
【請求項３】
前記封止要素は、前記少なくとも１つの封止領域を埋めるように、膨張する封止要素である、請求項１に記載の方法。
【請求項４】
前記封止要素は、前記少なくとも１つの封止領域内に押し込まれるプラグである、請求項１に記載の方法。
【請求項５】
前記プラグは、噛合式ジッパーファスナーにつながるひもにより固定され、手動により、前記少なくとも１つの封止領域内の封止動作位置と、前記少なくとも１つの封止領域外の格納位置との間で、移動可能である、請求項４に記載の方法。
【請求項６】
閉鎖弁を有する空気移動チューブが、前記封止要素を貫通して延びている、請求項１に記載の方法。
【請求項７】
前記封止要素は、前記第１ジッパー部位と、前記第２ジッパー部位とが重なり、前記封止領域を形成する噛合式ジッパーファスナーに取り付けられる、請求項１に記載の方法。
【請求項８】
前記封止要素は、２つの挟持要素間に配置され、前記挟持要素の少なくとも一方が、前記挟持要素の他方に対して近接、離間するように移動可能であり、前記挟持要素が互いに向かって移動すると、前記封止要素は外側に押し付けられて、前記封止領域を封止する、請求項１に記載の方法。
【請求項９】
第１個別本体部位と、第２個別本体部位とを含む本体を設けることと、
略円形構成で、前記第１務歯列を前記第１個別本体部位に固定することと、
略円形構成で、前記第２務歯列を前記第２個別本体部位に固定することと、を含む請求項１に記載の方法。
【請求項１０】
第１務歯列と、第２務歯列と、第１方向にスライドして、前記第１務歯列と、前記第２務歯列とを係合させ、第２方向にスライドして、前記第１務歯列と、前記第２務歯列とを係合解除するスライドを有する単一の防水噛合式ジッパーファスナーであって、第１ジッパー部位となる第１端と、第２ジッパー部位となる第２端とを有し、前記第１ジッパー部位と、前記第２ジッパー部位とが重なり合って、少なくとも１つの封止領域を含む重なり部分が形成される単一の防水噛合式ジッパーファスナーと、
前記重なり部分の軸方向に沿って、前記第１ジッパー部位と、前記第２ジッパー部との間の漏洩を防止するように、前記少なくとも１つの封止領域内に配置された封止要素と、を備える封止ジッパーアセンブリ。
【請求項１１】
前記封止要素は、前記少なくとも１つの封止領域内で圧縮される、弾性変形可能な封止要素である、請求項１０に記載の封止ジッパーアセンブリ。
【請求項１２】
前記封止要素は、前記少なくとも１つの封止領域を埋めるように、膨張する封止要素である、請求項１０に記載の封止ジッパーアセンブリ。
【請求項１３】
前記封止要素は、前記少なくとも１つの封止領域内に押し込まれるプラグである、請求項１０に記載の封止ジッパーアセンブリ。
【請求項１４】
前記プラグは、噛合式ジッパーファスナーにつながるひもにより固定され、手動により、前記少なくとも１つの封止領域内の封止動作位置と、前記少なくとも１つの封止領域外の格納位置との間で、移動可能である、請求項１３に記載の封止ジッパーアセンブリ。
【請求項１５】
閉鎖弁を有する空気移動チューブが、前記封止要素を貫通して延びている、請求項１０に記載の封止ジッパーアセンブリ。
【請求項１６】
前記封止要素は、前記第１ジッパー部位と、前記第２ジッパー部位とが重なり、前記封止領域を形成する噛合式ジッパーファスナーに取り付けられる、請求項１０に記載の封止ジッパーアセンブリ。
【請求項１７】
前記封止要素は、２つの挟持要素間に配置され、前記挟持要素の少なくとも一方が、前記挟持要素の他方に対して近接、離間するように移動可能であり、前記挟持要素が互いに向かって移動すると、前記封止要素は外側に押し付けられて、前記封止領域を封止する、請求項１０に記載の封止ジッパーアセンブリ。
【請求項１８】
第１個別本体部位と、第２個別本体部位とを含む本体と、
略円形構成で、前記第１個別本体部位に固定された前記第１務歯列と、
略円形構成で、前記第２個別本体部位に固定された前記第２務歯列と、
を備える請求項１０に記載の封止ジッパーアセンブリ。
【発明の詳細な説明】
【技術分野】
【０００１】
【０００２】
ジッパー閉鎖部を封止する方法と、封止ジッパーアセンブリとが説明される。これらは、液体や、有害となりうるガスを伴う用途に使用可能である。
【背景技術】
【０００３】
名称が「ジッパー端の閉鎖部」である、欧州特許第１，４８１，６０１号明細書には、ジッパー閉鎖部用の封止機構が開示されている。しかし、このＫａｌｌｉｏｎｐａａの参照例により教示される封止機構は理想的とは言えない。この封止機構は使用に複雑さが伴い、封止機構周辺の素材が疲労しやすく、最終的に壊れてしまう。用途によっては、封止機構のかさばりで、着心地が悪くなりうる。したがって、ジッパー閉鎖部を封止する別の方法や、別の封止ジッパーアセンブリが求められている。
【発明の概要】
【０００４】
一態様によると、ジッパー閉鎖部を封止する方法が提供される。第１ジッパー部位と、第２ジッパー部位とを重なり合うように設けることで、少なくとも１つの封止領域を形成するような工程が実行される。第１ジッパー部位と、第２ジッパー部位との間の漏洩を防止するよう、当該少なくとも１つの封止領域内に、封止要素を配置するためのさらなる工程が実行される。
【０００５】
別の態様によると、少なくとも１つの封止領域を形成するように、重なり合う第１ジッパー部位と、第２ジッパー部位とを備える封止ジッパーアセンブリが提供される。封止要素は、少なくとも１つの封止領域内に配置されて、第１ジッパー部位と、第２ジッパー部位との間の漏洩を防止する。
【０００６】
様々な封止要素が使用され得ることを理解されたい。様々な異なる封止要素が、図を参照にして以下に説明される。１つの封止要素は、封止領域内で圧縮される、弾性変形可能な封止要素である。別の封止要素は、封止領域を埋めるように、膨張する封止要素である。さらに別の封止要素は、少なくとも１つの封止領域内に押し込まれるプラグである。さらに別の封止要素は、内部ネジ式張力調整器により、長さ方向に圧縮可能なプラグである。
【０００７】
さらに、アセンブリにおける噛合式ジッパーファスナーの数が変動し得ることを理解されたい。以下に説明する第１実施形態では、噛合式ジッパーファスナーは１つ、封止領域も１つである。単一の噛合式ジッパーファスナーは、第１務歯列と、第２務歯列と、少なくとも１つのスライダーとを有する。単一の噛合式ジッパーファスナーは、第１ジッパー部位となる第１端と、第２ジッパー部位となる第２端とを有する。以下に説明する別の実施形態の中には、噛合式ジッパーファスナーが複数、封止領域が複数のものもある。各噛合式ジッパーファスナーは、第１端と、第２端とを有する。１つの噛合式ジッパーファスナーの第１端が第１ジッパー部位となり、別の噛合式ジッパーファスナーの第２端が第２ジッパー部位となる。
【０００８】
また、第１ジッパー部位と、第２ジッパー部位とは重なり合う際に、必ずしも１つまたは複数の噛合式ジッパーファスナーに対して平行でなくてもよい。以下に説明する実施形態の中には、少なくとも１つの封止領域を形成する第１ジッパー部位と、第２ジッパー部位とが、１つまたは複数の噛合式ジッパーファスナーから外方に突出するものも存在する。円形構成の場合には、これは径方向に突出すると説明することもできる。
【０００９】
１つまたは複数の噛合式ジッパーファスナーが略円形構成に配置された実施形態を参照にして、ジッパー閉鎖部を封止する方法と、封止ジッパーアセンブリとを以下に説明する。この構成は、出願人の意図した用途のために開発されたものである。但し、教示される内容が、直線状構成の用途にも同様に適用されることを理解されたい。
【図面の簡単な説明】
【００１０】
上述の特徴やその他の特徴は、添付の図面を参照する以下の説明からより明白になるであろう。図面は図示の目的にのみ供されるものであり、いかなる形でも限定を意図したものではない。
【００１１】
図１は、閉じた状態の封止ジッパーアセンブリの第１実施形態を示す正面図である。
【００１２】
図２は、開いた状態の、図１に示す封止ジッパーアセンブリの第１実施形態を示す正面図である。
【００１３】
図３は、スライダーが動作開始状態の、図１に示す封止ジッパーアセンブリの第１実施形態を示す正面図である。
【００１４】
図４は、スライダーが動作終了状態の、図１に示す封止ジッパーアセンブリの第１実施形態を示す正面図である。
【００１５】
図５は、閉じた状態の図１に示す封止ジッパーアセンブリの第１実施形態を示す裏面図である。
【００１６】
図６は、図１の断面線Ａ−Ａに沿った、封止ジッパーアセンブリの第１実施形態の断面図である。
【００１７】
図７は、図１に示す封止ジッパーアセンブリの第１実施形態を上方から見た平面図である。
【００１８】
図８は、封止要素存在下で開いた状態の、図１に示す封止ジッパーアセンブリの第１実施形態を示す正面図である。
【００１９】
図９は、図８の断面線Ｂ−Ｂに沿った、封止ジッパーアセンブリの第１実施形態の断面図である。
【００２０】
図１０は、図８に示す封止ジッパーアセンブリの第１実施形態の断面図を上方から見た平面図である。
【００２１】
図１１は、図９に示す封止要素の斜視図である。
【００２２】
図１２は、開いた状態の封止ジッパーアセンブリの第２実施形態を示す正面図である。
【００２３】
図１３は、図１２の断面線Ｃ−Ｃに沿った、封止ジッパーアセンブリの第２実施形態の断面図である。
【００２４】
図１４は、図１２に示す封止ジッパーアセンブリの第２実施形態を上方から見た平面図である
【００２５】
図１５は、図１３に示す封止要素の展開斜視図である。
【００２６】
図１６は、封止ジッパーアセンブリの第３実施形態の断面図である。
【００２７】
図１７は、図１６に示す封止要素の斜視図である。
【００２８】
図１８は、封止前の、閉じた状態の封止ジッパーアセンブリの第４実施形態を示す正面図である。
【００２９】
図１９は、封止要素が封止領域に挿入された状態の、図１８に示す封止ジッパーアセンブリの第４実施形態の正面図である。
【００３０】
図２０は、封止ジッパーアセンブリの第５実施形態を示す断面図である。
【００３１】
図２１は、封止ジッパーアセンブリの第６実施形態を示す断面図である。
【００３２】
図２２は、封止ジッパーアセンブリの第７実施形態を上方から見た平面図である。
【００３３】
図２３は、封止ジッパーアセンブリの第８実施形態を上方から見た平面図である。
【００３４】
図２４は、空気移動用チューブを有する、代替封止要素の斜視図である。
【００３５】
図２５は、膨張式封止要素の斜視図である。
【００３６】
図２６は、長さ方向に圧縮可能な、別の代替封止要素を示す正面図である。
【発明を実施するための形態】
【００３７】
封止ジッパーアセンブリの第１実施形態を、以下に図１から図１１を参照にして説明する。図１２から図２６を参照にして、実施形態の変形例について説明する。
構造および構成要素の関係
【００３８】
図１０を参照すると、封止ジッパーアセンブリの第１実施形態１０は、重なり合って封止領域１６を形成する、第１ジッパー部位１２と、第２ジッパー部位１４とを備える。図６および図９を参照すると、封止領域１６はトンネル状に形成されることが示されている。これを念頭に図１０を参照すると、封止領域１６は、外側開口１８と、内側開口２０とを有する。図９および図１０を参照すると、封止領域１６には、封止要素２２が配置されて、第１ジッパー部位１２と、第２ジッパー部位１４との間の漏洩を防止する。図１１を参照すると、封止要素２２が示されている。図９および図１０を参照すると、封止要素２２は弾性変形可能で、第１ジッパー部位１２および第２ジッパー部位１４により、封止領域１６内で圧縮されている。図１０を参照すると、第１実施形態１０では、第１ジッパー部位１２および第２ジッパー部位１４が、単一の噛合式ジッパーファスナー２４の一部であって、封止領域１６として上述した、単一の封止領域を形成するものである。実施形態の変形例を参照して、後段で図示および説明するとおり、噛合式ジッパーファスナーおよび封止領域は、複数存在しうる。
【００３９】
図１から図５および図８を参照すると、噛合式ジッパーファスナー２４は、テープ２８上に支持された第１務歯列２６と、テープ３２上に支持された第２務歯列３０とを有する。少なくとも１つのスライダー３４が設けられる。図７および図１０を参照すると、本実施形態において、噛合式ジッパーファスナー２４は、第１ジッパー部位となる第１端３６と、第２ジッパー部位１４となる第２端３８を有する。
【００４０】
図２を参照すると、防水布製の衣服本体４０は、第１または上方個別本体部位４２と、第２または下方個別本体部位４４とから成る。噛合式ジッパーファスナー２４は、第１個別本体部位４２を第２個別本体部位４４から分離可能とする円形構造となっている。図２を参照すると、噛合式ジッパーファスナー２４の第１の半部を成す第１務歯列２６を支持するテープ２８は、第１ジッパー部位１２の第１の半部と、第２ジッパー部位１４の第１の半部が重なり合うように、第１個別本体部位４２に対して略円形構造で固定される。同様に、噛合式ジッパーファスナー２４の第２の半部を成す第２務歯列３０を支持するテープ３２は、第１ジッパー部位１２の第２の半部と、第２ジッパー部位１４の第２の半部が重なり合うように、第２個別本体部位４４に対して略円形構造で固定される。
【００４１】
図３を参照すると、スライダー３４は、噛合式ジッパーファスナー２４に沿って第１の方向にスライドすることで、図１に示すように第１務歯列２６と第２務歯列３０とを係合させるように使用する。図４を参照すると、スライダー３４は、噛合式ジッパーファスナー２４に沿って第２の方向にスライドすることで、図２に示すように第１務歯列２６と第２務歯列３０との係合を解除し、噛合式ジッパーファスナー２４を開く。図６、図７、図９、および図１０を参照すると、スライダー３４が第１務歯列２６と、第２務歯列３０とを噛合させると、第１ジッパー部位１２および第２ジッパー部位１４が完成する。これら部位は、重なり合うことで、封止領域１６を形成する。この状態で、封止領域１６は封止要素２２を含むこととなる。図８を参照すると、封止要素２２は、封止を補助する隆起部４６を有する。封止要素２２はさらに、第１面５０上の第１経路４８と、第２面５４上の第２経路５２とを有する。図９を参照すると、第１経路４８は第１ジッパー部位１２の噛合状態歯５６を含み、第２経路５２は第２ジッパー部位１４の噛合状態歯５８を含む。
動作
【００４２】
図２を参照すると、噛合式ジッパーファスナー２４の第１の半部を成す第１務歯列２６を支持するテープ２８は、第１ジッパー部位１２の第１の半部と、第２ジッパー部位１４の第１の半部が重なり合うように、略円形構造で第１個別本体部位４２に固定される。噛合式ジッパーファスナー２４の第２の半部を成す第２務歯列３０を支持するテープ３２は、第１ジッパー部位１２の第２の半部と、第２ジッパー部位１４の第２の半部が重なり合うように、略円形構造で第２個別本体部位４４に固定される。図３を参照すると、スライダー３４が噛合式ジッパーファスナー２４に沿って第１方向にスライドすると、図１に示すように第１務歯列２６と、第２務歯列３０とが係合する。図６および図７を参照すると、スライダー３４が第１務歯列２６と、第２務歯列３０とを噛合させ、第１ジッパー部位１２および第２ジッパー部位１４が完成して重なり合うことで、封止領域１６を形成する。図９および図１０では、封止要素２２は封止領域１６内で、第１ジッパー部位１２および第２ジッパー部位１４により圧縮される。
変形例
【００４３】
以下に、第１実施形態に対して実現されうる変形例を説明する。各変形例において、第１実施形態と同一の要素については、同一の参照符号が付される。第１実施形態とは異なる態様のみを説明する。
【００４４】
第１実施形態では、封止要素２２が１つだけ示されていた。図１５を参照すると、第１封止構成部材１２４と、第２封止構成部材１２６とを有する、別の封止要素１２２が示されている。図１２を参照すると、第１封止構成部材１２４は、押し込まれて摩擦で保持されるか、あるいは別の方法で第１個別本体部位４２に固定される。第２封止構成部材１２６は、押し込まれて摩擦で保持されるか、あるいは別の方法で第２個別本体部位４４に固定される。図１３および図１４を参照すると、噛合式ジッパーファスナー２４が閉じた状態で、第１封止構成部材１２４と、第２封止構成部材１２６とが互いに押し付けられて、封止領域１６を埋める封止要素１２２が形成される。
【００４５】
第１実施形態では、封止要素２２は摩擦で定位置に保持され、取り外し可能であった。図１６及び図１７を参照すると、代替封止要素２２２は、エラストマフォームを成形した布細片２２４を有する。布細片２２４は、代替封止要素２２２を第１個別本体部位４２に固定するために使用される。即ち、布細片２２４への縫い込みにより固定が実現される。布細片２２４は、噛合式ジッパーファスナー２４の第１ジッパー部位１２と第２ジッパー部位１４とが重なり合って形成する封止領域１６の所望位置で、代替封止要素２２２が第１個別本体部位４２に固定されるように働く。代替封止要素は、別の方法でも封止領域１６内に固定することが可能であることを理解されたい。
【００４６】
第１実施形態では、封止要素２２はエラストマフォームであった。図１８および図１９を参照すると、さらなる封止要素３２２が示されている。図１８を参照すると、封止要素３２２は、プラグ３２４であり、不使用時には、スライダー３４からのつなぎひも３２６により吊着されている。図１９を参照すると、プラグ３２４は、封止領域１６の外部開口１８内に挿入されて、封止領域１６を封止することを意図したものである。プラグ３２４は、その封止力や、保持力を高めるために、表面にリブや隆起部等の構造を有することが好ましい。この目的を同様に果たすであろう表面隆起構造が他にも存在することを理解されたい。
【００４７】
第１実施形態では、第１ジッパー部位１２および第２ジッパー部位１４が、噛合式ジッパーファスナー２４に対して略平行に配置されている。図２２を参照すると、封止領域１６を形成する第１ジッパー部位１２および第２ジッパー部位１４は、噛合式ジッパーファスナー２４から外方、または径方向に突出するように構成されてもよい。
【００４８】
第１実施形態では、噛合式ジッパーファスナー２４は１つのみで、封止領域１６が１つのみであった。図２３を参照すると、噛合式ジッパーファスナー２４が複数、封止領域１６が複数の構成が示されている。この構成では、１つの噛合式ジッパーファスナー２４の第１端３６が第１ジッパー部位１２となり、別の噛合式ジッパーファスナー１２４の第２端３８が第２ジッパー部位１４となり、第１封止領域１６が形成される。さらに、噛合式ジッパーファスナー１２４の第１端３６が第１ジッパー部位１２となり、噛合式ジッパーファスナー２４の第２端３８が第２ジッパー部位１４となって、第２封止領域１１６が形成される。２つの噛合式ジッパーファスナー２４および１２４が円形構成となるように示されているが、同様に２つ以上の噛合式ジッパーファスナーを円形構成に配置してもよいことが理解されよう。
【００４９】
衣服本体４０等の、水中での使用を目的とした衣服が、空気の移動を実現するため、空気移動用弁を有することは珍しくない。図２４を参照すると、代替封止要素４２２が、その本体を貫通して延びる空気移動チューブ４２４と共に示されている。空気移動チューブ４２４は、衣服本体４０内外に空気を移動可能とする。衣服本体４０が水またはその他液体に浸される際に、閉鎖弁４２６を使用して、空気移動チューブ４２４を閉鎖してもよい。
【００５０】
第１実施形態では、封止要素２２は圧縮されていた。図２５を参照すると、風船のように膨らむことができる、空気袋状の代替封止要素５２２が示されている。代替封止要素５２２は、ユーザーが息を吹き込んで代替封止要素５２２を膨らませることができるチューブ５２４と、代替封止要素５２２内の空気圧を維持するための閉鎖弁５２６とを有する。代替封止要素５２２は膨らむと、封止領域１６を埋める。
【００５１】
別の代替封止要素は、２つの挟持要素間に配置される。これら挟持要素の少なくとも一方が、他方に対して近接、離間するように移動可能である。挟持要素が互いに向かって移動すると、封止要素は外側に押し付けられて、封止領域を封止する。図２６を参照すると、かかる挟持構成の１つが示されている。代替封止要素６２２は、その長さ方向で貫通するボルト６２４を含む。ボルト６２４は、一端にナット６２６が設けられ、他端に回転ノブ６２８が設けられている。ナット６２６が、一方の挟持要素となり、回転ノブ６２６が他方の挟持要素となる。回転ノブ６２８を回すことで、代替封止要素６２２が、回転ノブ６２８とナット６２６との間で圧縮されるような軸方向運動が生じる。圧縮により、代替封止要素６２２は外側に広がり、代替封止要素６２２が封止領域を封止するまで、封止要素６２２の円周が増大し続ける。
利点
【００５２】
上述のジッパー閉鎖部を封止する方法と、封止ジッパーアセンブリは、多数の利点を有する。
【００５３】
１．Ｋａｌｌｉｏｎｐａａの参照例と比較して、より簡単に使用できる。
【００５４】
２．Ｋａｌｌｉｏｎｐａａの参照例と比較して、より安く製造できる。
【００５５】
３．Ｋａｌｌｉｏｎｐａａの参照例と比較して、かさばらず、より着心地がいい。
【００５６】
４．Ｋａｌｉｏｎｐａａの参照例と比較して、より柔軟性が高く、素材疲労が生じにくい。
【００５７】
５．ドライジッパーであれば、全てではないとしてもほとんどのブランドやスタイルに利用可能である。
【００５８】
６．Ｋａｌｌｉｏｎｐａａの参照例が、特定の外周となるように作成する必要のある無端ループである一方、重複量を増やすまたは減らすことで、様々な外周に適合することが可能となるよう、調整可能である。
【００５９】
７．空気の移動が必要である場合、空気移動用弁を入れるための孔を衣服４０にさらに孔を開けるのではなく、封止要素を介して空気移動チューブを配置すればよい。
注意事項
【００６０】
あらゆるジッパーが、液体環境下で機能できるわけではないことを理解されたい。漏洩を防止するためには、防水ジッパーを使用する必要がある。さらに、多様なスタイルの防水ジッパーが存在することも理解されたい。適切な防水ジッパーは、水中ダイビングに親しむ人には周知であるため、本明細書で列挙はしない。
【００６１】
上述の封止要素を効果的とするには、縫い目や継ぎ目に沿って多数存在する多数の漏洩箇所を効果的に封止しなければならない。
【００６２】
図１を参照すると、縫い目５０により、噛合式ジッパーファスナー２４が定位置に固定されている。図５を参照すると、縫い目５０から液体が染み出さないように、防水テープ５２が、縫い目５０の裏側に、熱融着されるか、接着剤により固定される。
【００６３】
図２０および図２１を参照すると、封止領域１６は漏洩が生じる箇所として、縁縫い目５４を有する。図２０を参照すると、柔軟な縁成形品５６により、縁縫い目５４を封止することで、漏洩を防ぐことができる。図２１を参照すると、ポリマーコーキング材のビード５８を使用して、縁縫い目５４を封止することでも漏洩を防ぐことができる。
【００６４】
本明細書において、「含む」という語は非限定的に使用され、この語が係る品目を含むが、特に言及されていない品目も排除されないことを示す。不定冠詞「ａ」を付された要素への言及は、当該要素が１つのみ設けられていると明示されている場合を除いて、当該要素が２つ以上存在する可能性を排除するものではない。
【００６５】
以上に説明された実施形態は例示のみを目的として設けられたものであり、請求項の目的とする解釈を限定するものととらえるべきではない。
【図１】
2019514599.tif 000003
【図２】
2019514599.tif 000004
【図３】
2019514599.tif 000005
【図４】
2019514599.tif 000006
【図５】
2019514599.tif 000007
【図６】
2019514599.tif 000008
【図７】
2019514599.tif 000009
【図８】
2019514599.tif 000010
【図９】
2019514599.tif 000011
【図１０】
2019514599.tif 000012
【図１１】
2019514599.tif 000013
【図１２】
2019514599.tif 000014
【図１３】
2019514599.tif 000015
【図１４】
2019514599.tif 000016
【図１５】
2019514599.tif 000017
【図１６】
2019514599.tif 000018
【図１７】
2019514599.tif 000019
【図１８】
2019514599.tif 000020
【図１９】
2019514599.tif 000021
【図２０】
2019514599.tif 000022
【図２１】
2019514599.tif 000023
【図２２】
2019514599.tif 000024
【図２３】
2019514599.tif 000025
【図２４】
2019514599.tif 000026
【図２５】
2019514599.tif 000027
【図２６】
2019514599.tif 000028
【国際調査報告】
2019514599.tif 000029
2019514599.tif 000030
2019514599.tif 000031